(57)【要約】      （修正有）【課題】多種多様な形式別やサイズ別からなる市販のメガネに対し、幾つかの最小限の形状で概ね対応できるので、市販メガネの形状に、フイルムサングラスの形状を合致させる、これまでの煩雑な形状合わせが画期的に解消される。【解決手段】サングラスとするフイルムに於ける、レンズ部とする左右のメガネレンズ状のフイルム面を連結する、ブリッジ部とする帯状のフイルム面を、前面とする正面方向に湾曲させて張り出すことにより、ブリッジ部が横方向に伸縮するスプリング機能を設け、このブリッジ部の湾曲によるスプリング機能によって、多くのパターンとサイズからなる市販のメガネに対し、フリーに対応する、フリーサイズのフイルムサングラスを提供するものである。  さらに、ブリッジ部の湾曲によるスプリング機能を持ったフイルムサングラスは、そのスプリング機能の伸縮力だけでもメガネに係止して装着できるようにしたものである。【選択図】図１０
0003129380.tif 000002
【実用新案登録請求の範囲】
【請求項１】
サングラスとするフイルム（３）に於ける、ブリッジ部（２）とするフイルム面を、前面とする正面方向に、任意な湾曲形状で張り出させたのを特徴とする、フイルムサングラス。
【請求項２】
サングラスとするフイルム（３）に於ける、レンズ部（１）とするフイルム面より、ブリッジ部（２）とするフイルム面を、後面とする裏面方向で段差を設けてから、前面とする正面方向に、任意な湾曲形状で張り出させたのを特徴とする、フイルムサングラス。
【考案の詳細な説明】
【技術分野】
【０００１】本考案は、ネガネの内側に装着して使用するタイプの、フイルムだけで構成された、フイルムサングラスに関するものである。
【背景技術】
【０００２】メガネを必要とする人が、常用している市販のネガネのレンズに貼着して、その常用のメガネをサングラスとして使用出来るようにする、軟粘着剤付きのカラーフイルムからなる、レンズ貼着方式のフイルムサングラスが色々と考案されている。
【考案の開示】
【考案が解決しようとする課題】
【０００３】  これまで考案されているレンズ貼着方式のフイルムサングラスは、多種多様な型式別やサイズ別で存在する市販のメガネに対し、それぞれ、より美観的に合致するように、多種多様な型式やサイズを用意しなければならなかった。
さらに、軟粘着剤付きのフイルムからなるフイルムサングラスは、メガネレンズに綺麗に貼り付けるのが以外と面倒であった。
【課題を解決するための手段】
【０００４】  本考案からなるフイルムサングラスは、多種多様な型式やサイズからなる市販のメガネに対し、ブリッジ部を横方向に伸縮自在としたフリーサイズのフイルムサングラスとして対応させるのを狙いとするものである。
【考案の効果】
【０００５】  本考案のフリーサイズからなるフイルムサングラスは、ブリッジ部を横方向に伸縮自在とすることにより、多種多様な型式別やサイズ別からなる市販のメガネに対し、幾つかの最小限の形状で概ね対応できるので、市販メガネの形状に、フイルムサングラスの形状を合致させる、これまでの煩雑な形状合わせが画期的に解消される。
さらに、本考案のフリーサイズからなるフイルムサングラスは、軟粘着剤を用いることなく、フイルムサングラスに於けるブリッジ部の横方向の伸縮機能だけで、市販のメガネへの装着固定も可能となるものである。
【考案を実施するための最良の形態】
【０００６】本考案からなるフリーサイズとするフイルムサングラスは、サングラスとするフイルムの、中間位に位置する帯状のブリッジ部を、前面とする正面方向に、横長の半楕円や半円などの湾曲形状で張り出させることにより、ブリッジ部とするフイルム面に、横方向の伸縮自在のスプリング機能を付与するのを狙いとするもので、第一実施例、第二実施例、第三実施例からなる。
【第一実施例】
【０００７】本考案の第一実施例からなるフリーサイズとするフイルムサングラスは、［図１］で示すように、レンズ部（１）とする左右のフイルム面を、ブリッジ部（２）とする帯状のフイルム面で連結した形態の、任意なメガネ形状とする一枚の平面からなる着色されたカラーフイルムを、サングラスとするフイルム（３）として用意する。
そして、［図２］及び［図３］で示すように、その、サングラスとするフイルム（３）の、左右のレンズ部（１）の中間位に位置したブリッジ部（２）とする帯状のフイルム面を、前面とする正面方向に、横長の半楕円や半円などの任意な湾曲形状で張り出させ、
これをもって、ブリッジ部（２）を、前面とする正面方向に、横長の半楕円や半円などの任意な湾曲形状で張り出させたのを特徴とする、本考案の第一実施例からなるフリーサイズのフイルムサングラスとする。
【０００８】本考案の第一実施例からなるフリーサイズとするフイルムサングラスは、前面とする正面方向に、横長の半楕円や半円などの任意な湾曲形状で張り出させたブリッジ部（２）を、横方向に引き延ばしてやると、［図４］で示すように、湾曲の曲がりが通常の湾曲状態より伸び拡げられて、ブリッジ部（２）の長さ寸法が通常より長くなり、結果的にフイルムサングラスの横全長を若干長くすることが出来る。
【０００９】さらに、本考案の第一実施例からなるフリーサイズとするフイルムサングラスは、前面とする正面方向に、横長の半楕円や半円などの任意な湾曲形状で張り出させたブリッジ部（２）を、横方向で押し縮めてやると、［図５］で示すように、ブリッジ部（２）は、通常の湾曲状態より押し縮められて、ブリッジ部（２）の長さ寸法が通常より短くなり、結果的にフイルムサングラスの横全長を若干短くすることが出来る。
【第二実施例】
【００１０】第一実施例では、帯状のブリッジ部（２）を、平面で構成されたフイルムから、いきなり、前面とする正面方向に、湾曲させて張り出した型式としているが、
本考案の第二実施例からなるフリーサイズとするフイルムサングラスは、
［図６］及び［図７］で示すように、平面で構成されたサングラスとするフイルム本体（３）に於ける、ブリッジ部（２）と左右のレンズ部（１）との、任意に設定されるものとする適宜な境界線あたりを、一旦、後面とする裏面方向に、それぞれ折り起こして、レンズ部（１）とするフイルム面と、ブリッジ部（２）とするフイルム面とに、適宜な数値の段差を設ける、
そして、その段差から、ブリッジ部（２）とするフイルム面の左右を、再び平面方向に、それぞれ向かい合わせに折り戻してから適宜な数値の平面部を設け、しかる後、前面とする正面方向に、横長の半楕円や半円などの任意な湾曲形状で張り出させた型式のブリッジ部（２）とし、これをもって、本考案の第二実施例からなるフリーサイズのフイルムサングラスとする。
本考案の第二実施例からなるフリーサイズのフイルムサングラスは、レンズ部（１）のフイルム面と、ブリッジ部（２）のフイルム面とに段差を設けることにより、市販のメガネに於ける、レンズ縁の有るメガネの、そのレンズと縁フレームとの段差への対応度が数段と向上する。
【第三実施例】
【００１１】第一実施例及び第二実施例では、これまで示したように一枚のメガネ形状からなるサングラスとするフイルム（３）を構成の基本としているが、
本考案の第三実施例からなる、フリーサイズとするフイルムサングラスは、
［図８］で示すように、一対として分離独立して用意された左右のレンズ部（１）に、［図９］で示すように、第一実施例又は第二実施例で示した形態からなる、別途用意されたブリッジ部（２）の両辺の一部を、それぞれ重合させ、その重合した面を接着剤や溶着などの方法で接着固定して、左右のレンズ部（１）とブリッジ部（２）を連結して一体化する。
これをもって、本考案の第三実施例からなる、フリーサイズとするフイルムサングラスとする。
本考案の第三実施例からなる、フリーサイズとするフイルムサングラスは、レンズ部（１）とブレッジ部（２）を分離して用意することにより、レンズ部（１）とするフイルムより、ブリッジ部（２）とするフイルム強度を強くする為の、フイルムの厚み寸法を自由に選定することが出来るので、腰の強いブリッジ部（２）と柔軟なレンズ部（１）からなる、フリーサイズとするフイルムサングラスを提供することが可能となる。
【００１２】  このように、第一実施例、第二実施例、第三実施例からなる、ブリッジ部（２）に、スプリング機能を持たせた本考案からなるフリーサイズとするフイルムサングラスは、
［図１０］で示すように、装着の対象とする市販のメガネ（４）のサイズに応じて、メガネ（４）の内側に於ける、メガネ（４）の左右のレンズに、フイルムサングラスのレンズ部（１）がそれぞれ適正に重なるように、ブリッジ部（２）の湾曲を、横方向に伸縮調整しながら位置させて装着させることが出来るフリーサイズとなされたものである。
【００１３】  さらに、本考案からなるフリーサイズとするフイルムサングラスは、湾曲したブリッジ部（２）のスプリング機能によって、ブリッジ部（２）又は左右のレンズ部（１）の内側端面など、サングラスとするフイルム（３）のいずれかの部位が、メガネ（４）の鼻パット支柱フレームや、メガネ（４）のブリッジフレーム及びメガネ（４）のレンズ縁フレームなどに、押し当てられたり、引当てられたりの、緊張関係でしっかりと係止されて装着されるので、レンズ貼着用の軟粘着剤をフイルムに施すのを省略することが出来る。
【００１４】なお、図面は省略するが、本考案からなるフリーサイズとするフイルムサングラスの適宜な一部に、レンズ貼着用の軟粘着剤を貼着して設けても一向にかまわないものである。
【産業上の利用可能性】
【００１５】
【図面の簡単な説明】
【００１６】
【図１】レンズ部（１）とする、楕円などのレンズ形状からなる左右のフイルム面を、ブリッジ部（２）とする上辺の中間位に位置する帯状のフイルム面で連結した形態の、任意なメガネ形状の一枚の平面からなるフイルムを、サングラスとするフイルム本体（３）として用意したのを示した正面図である。
【図２】サングラスとするフイルム本体（３）の、中間に位置したブリッジ部（２）とする帯状のフイルム面を、前面とする正面方向に、横長の半楕円や半円などの任意な湾曲形状で張り出させてなる、本考案の第一実施例からなるフリーサイズとするフイルムサングラスを示した斜視図である。
【図３】サングラスとするフイルム本体（３）の、中間位に位置したブリッジ部（２）とする帯状のフイルム面を、前面とする正面方向に、横長の半楕円や半円などの任意な湾曲形状で張り出させてなる、本考案の第一実施例からなるフリーサイズとするフイルムサングラスを示した平面図である。
【図４】本考案の第一実施例からなるフリーサイズとするフイルムサングラスにおける、湾曲させたブリッジ部（２）を引き延ばした状態としたのを示した平面図である。
【図５】本考案の第一実施例からなるフリーサイズとするフイルムサングラスにおける、湾曲させたブリッジ部（２）を押し縮めた状態としたのを示した平面図である。
【図６】ブリッジ部（２）と、左右のレンズ部（１）との、それぞれの適宜な境界線あたりを、一旦、後面とする裏面方向に、それぞれ折り起こして、レンズ部（１）とするフイルム面と、ブリッジ部（２）とするフイルム面とに、適宜な数値の段差を設ける、そして、再び平面方向に、それぞれ向かい合わせに折り戻してから適宜な数値の平面部を設け、しかる後、前面とする正面方向に、横長の半楕円や半円などの任意な湾曲形状で張り出させた型式のブリッジ部（２）とした、本考案の第二実施例からなるフリーサイズとするフイルムサングラスを示した斜視図である。
【図７】本考案の第二実施例からなるフリーサイズとするフイルムサングラスを示した平面図である。
【図８】本考案の第三実施例に供される、左右分離独立して用意されたレンズ部（１）とするフイルムを示した斜視図である。
【図９】左右分離独立して用意されたレンズ部（１）とするフイルムを、別途用意された、第二実施例の形態からなるブリッジ部（２）とするフイルムで連結一体化した、第三実施例からなるフリーサイズとするフイルムサングラスを示した斜視図である
【図１０】本考案のフリーサイズとするフイルムサングラスを、市販のメガネ（４）の内側に装着した状態を、第一実施例からなるフイルムサングラスを例として示した斜視図である
【符号の説明】
【００１６】（１）フイルムサングラスのレンズ部
（２）フイルムサングラスのブリッジ部
（３）サングラスとするフイルム本体
（４）メガネ
【図１】
0003129380.tif 000003
【図２】
0003129380.tif 000004
【図３】
0003129380.tif 000005
【図４】
0003129380.tif 000006
【図５】
0003129380.tif 000007
【図６】
0003129380.tif 000008
【図７】
0003129380.tif 000009
【図８】
0003129380.tif 000010
【図９】
0003129380.tif 000011
【図１０】
0003129380.tif 000012